(57)【要約】【課題】搬送中のシート材がシート幅方向両端で送り量にズレを生じないように調整することで、シート材に転写される画像にズレなどの異常を防いで高画像品位の印刷を可能とする画像形成装置を提供する。【解決手段】記録紙であるシート材Ｓの搬送路の上流側に配置されたレジストローラ７，８と下流側に配置された二次転写ローラ４，５との間の区間に、シート材Ｓを案内する二次転写送りガイド１，２からなるガイド部材が設けられている。一方の二次転写送りガイド１は、シート材Ｓの先端が搬送方向に直交するシート幅方向に平行となるよう当接する部分を移動させてシート前奥調整するシート矯正プレート２０（可動部）を有し、このプレートの一部が矯正部２１となって搬送中のシート材Ｓに当接する。シート材Ｓは、先端に左右両端の差すなわち前奥差が生じないように調整され、画像形成部の像担持体に担持された画像が中間転写ベルト３上に転写され、その転写画像をシート材Ｓの上に一括転写する場合に画像ズレを抑える。【選択図】図２
2006323154.tif 000002
【特許請求の範囲】
【請求項１】
シート材の搬送路の上流側に配置された第１のシート搬送部材と、
下流側に配置された第２のシート搬送部材と、
前記第１および第２のシート搬送部材の間に設けられ、前記シート材を案内するガイド部材と、
前記ガイド部材に設けられ、前記シート材の先端が搬送方向に直交するシート幅方向に平行となるよう当接する部分を移動させてシート前奥調整する可動部と、
を備えることを特徴とする画像形成装置。
【請求項２】
前記ガイド部材の可動部の移動によってシート前奥調整する方向が、前記第１および第２のシート搬送部材の各ニップ部を楕円形の２つの焦点と仮定した場合に、前記シート材に当接する前記可動部の当接点が通る当該楕円形の接線に対して垂直方向であることを特徴とする請求項１に記載の画像形成装置。
【請求項３】
前記可動部の当接点と前記第１のシート搬送部材とを結ぶ直線距離と、前記可動部の当接点と前記第２のシート搬送部材とを結ぶ直線距離との加算値が所定値内となるように規制するパス長さ規制部材を備えたことを特徴とする請求項２に記載の画像形成装置。
【請求項４】
前記パス長さ規制部材がワイヤ状であり、そのワイヤ両端が前記第１および第２のシート搬送部材のそれぞれ回転軸線上に繋止され、またワイヤ中間部が前記可動部の当接点に干渉しない部位に変位可能に引っ掛けられてなっていることを特徴とする請求項３に記載の画像形成装置。
【請求項５】
前記第１および第２のシート搬送部材が、搬送路を挟んで対向する上流側のレジストローラ対と下流側の二次転写ローラ対であることを特徴とする請求項１乃至４のいずれか１項に記載の画像形成装置。
【請求項６】
前記可動部の移動によるシート前奥調整方向が、前記当接点と前記二次転写ローラ対のニップ部とを結ぶ直線に略平行であることを特徴とする請求項１乃至５のいずれか１項に記載の画像形成装置。
【請求項７】
前記第１および第２のシート搬送部材が、搬送路を挟んで対向する上流側の転写手段と下流側の定着手段であることを特徴とする請求項１乃至６のいずれか１項に記載の画像形成装置。
【請求項８】
前記第１のシート搬送部材によって搬送される前記シート材の搬送速度よりも前記第２のシート搬送部材による搬送速度が遅くなるよう構成することを特徴とする請求項１乃至７のいずれか１項に記載の画像形成装置。
【請求項９】
画像形成部が、像担持体に担持された画像を中間転写ベルトに転写し、この転写された画像を二次転写ローラ対へ搬送されてきたシート材上に転写するように構成されていることを特徴とする請求項１乃至８のいずれか１項に記載の画像形成装置。
【発明の詳細な説明】
【技術分野】
【０００１】
本発明は、シート材に画像形成する複写機、レーザープリンタおよびレーザファクシミリ装置、複合機などの画像形成装置に関するものである。
【背景技術】
【０００２】
電子写真方式や静電記録方式で画像形成するカラー複写機あるいはカラーレーザビームプリンタなど画像形成装置には、像担持体としての感光体ドラムおよび中間転写ベルトを備えて構成される中間転写方式がある。中間転写方式とは、感光体ドラムに担持された画像を一旦中間転写ベルトの表面に転写（一次転写）し、中間転写ベルト上の画像を記録媒体であるシート材に一括して転写（二次転写）するものであり、多くの中間転写ベルト方式の画像形成装置に関する提案がなされている（例えば、特許文献１参照）。
【０００３】
図８は、中間転写ベルト３などからな二次転写部の構造例を示す。像担持体である図示しない感光体ドラム上に形成された画像は中間転写ベルト３に転写される。中間転写ベルト３上に転写された画像は、レジストローラ７，８から搬送されてきた記録紙（以下、被転写材としてのシート材Ｓという）に一括転写される。レジストローラ対７，８から送り出された直後のシート材Ｓの先端は案内パス（案内通路）を形成する両側壁１，２（以下、二次転写送りガイド１，２という）に案内されて二次転写部のローラ対４，５に向かう。この一方の二次転写ローラ４は中間転写ベルト３を巻回して張架する複数のローラの１つを構成する。
【０００４】
二次転写部では、図示しない駆動源モータから回転動力を受けて回転するレジストローラ対７，８からシート材Ｓが送り出されると、二次転写送りガイド１，２で構成される案内パスに案内されて、中間転写ベルト３上の画像を二次転写ローラ４，５で押圧してシート材Ｓに一括して転写する。その場合、一方のレジストローラ８はローラ軸受９ごと押圧ばね１１で付勢されて他方のレジストローラ７に押し付けられ、また一方の二次転写ローラ５は軸受アーム６ごと押圧ばね１０で付勢されて他方の二次転写ローラ４に押し付けられている。
【０００５】
図９（ａ），（ｂ）は、二次転写ローラ４，５に送り込まれる直前のシート材Ｓの挙動を模式的に示している。レジストローラ７，８から送り出されたシート材Ｓの先端は、図９（ａ）に示すように、一側壁の二次転写送りガイド２に当接して案内され、かつ他側壁の二次転写送りガイド１の曲がり角部である当接部（以下、当接点という）Ａに当接して折り曲げられる。続いて、図９（ｂ）に示すように、シート材Ｓは先端から二次転写ローラ対４，５の二次転写部に突入して中間転写ベルト３上の画像を二次転写される。
【０００６】
図９（ａ），（ｂ）に続き、図１０（ａ），（ｂ）もまた搬送中のシート材Ｓの挙動を模式的に示しており、二次転写ローラ４，５の回転速度Ｖ１がレジストローラ７，８の回転速度Ｖ２よりも速くて大きいＶ１＞Ｖ２の場合は、シート材Ｓが図１０（ａ）のように二次転写送りガイド１に沿って当接して案内される。また逆に、Ｖ１＜Ｖ２である場合はシート材Ｓが図１０（ｂ）に示すように二次転写送りガイド２に沿って当接して案内される。
【０００７】
【特許文献１】特開２００２−２４４４４９号公報
【発明の開示】
【発明が解決しようとする課題】
【０００８】
ところで、二次転写部に送り込まれる直前のシート材Ｓの挙動を一般例として図８〜図１０で示したが、その場合の二次転写部には以下の点に構造的な改良が望まれる。
【０００９】
上記図８に示すように二次転写送りガイド１は搬送路フレーム１２の一部に一体成形されている。そうした二次転写送りガイド１を上方からみた図１１のように、基部となる搬送路フレーム１２自体の位置決めにズレが生じ、シート材Ｓを搬送する方向に直交するシート幅方向に対して二次転写送りガイド１が平行とはならずに角度αだけ傾いて、ガイド両端部１ａ，１ｂに搬送方向いう前後差（以下、以下前後を前奥と表現する）が生じている場合がある。そうしたガイド前奥差が原因でシート材Ｓ上に二次転写される画像にずれなどの異常が発生し、印字品位を低下させる不具合がある。
【００１０】
さらに付記するに、搬送路フレーム１２については位置決め時に寸法公差が前奥で最大にブレてセットされる場合がある。そうするとレジストローラ７，８と二次転写ローラ４，５との間の搬送区間で案内パス幅でいう両側で寸法的な前奥差が生じる。その結果、二次転写ローラ４，５のニップ部に突入するタイミングがシート材Ｓの先端の両側でズレて、シート材Ｓに対して画像が前奥方向へ傾いた状態で転写される現象が生じ、画像倍率が前奥で異なり、画像異常が生じる。
【００１１】
以上から、本発明の目的は、搬送中のシート材がシート幅方向両端で送り量にズレを生じないように調整することで、シート材に転写される画像にズレなどの異常を防いで高画像品位の印刷を可能とする画像形成装置を提供することにある。
【課題を解決するための手段】
【００１２】
上記目的を達成するために、本発明の代表的な画像形成装置は、シート材の搬送路の上流側に配置された第１のシート搬送部材と、下流側に配置された第２の搬送部材と、前記第１及び第２のシート搬送部材の間に設けられ、前記シート材を案内するガイド部材と、前記ガイド部材に設けられ、シート材の先端が搬送方向に直交するシート幅方向に平行となるよう当接する部分を移動させてシート前奥調整する可動部と、を備えていることを特徴とするものである。
【００１３】
この構成によって、搬送路上流側の第１の搬送部材と下流側の第２の搬送部材との間おいて、ガイド部材の可動部を移動させて搬送中のシート材の先端に左右両端の差すなわち前奥差が生じないようにガイド部材を調整する。
【発明の効果】
【００１４】
本発明の画像形成装置によれば、ガイド部材が搬送中のシート材の先端に前奥差が生じていない状態で搬送するので、そのシート材の上に画像を形成する場合でも、画像ズレの発生を抑えることができる。
【００１５】
また、本発明の画像形成装置によれば、シート搬送装置から前奥差の無い状態でシート材が送り込まれてくるので、像担持体上の画像を中間転写ベルトに転写してさらにその画像をシート材上に転写する方式の画像形成部を備えている場合でも、シート材に対して画像ズレの無い高品位の印刷などを行うことができ、画像形成装置全体における処理能力を低下させないで維持できる。
【発明を実施するための最良の形態】
【００１６】
以下、本発明による画像形成装置の好適な一実施形態について図を参照して詳細に説明する。なお、本実施形態への理解をし易くするために図８〜図１１で示した構造例中の部材に対応する部材には同一符号を付してある。
【００１７】
（画像形成装置）
図１に示すように、はじめに本実施形態の画像形成装置について、この本体１０１の上部に透明ガラス板からなる原稿台１０２が固定して設けられている。原稿圧着板１０３は、原稿台１０２の所定位置に画像面を下向きにして載置された原稿１００を押圧して固定するための部材である。原稿台１０２の下側には原稿１００を照明するランプ１０４を有し、照明した原稿１００の光像を画像処理ユニット１０８に導くための反射ミラー１０５、１０６、１０７とからなる光学系が設けられている。なお、ランプ１０４および反射ミラー１０５、１０６、１０７は所定の速度で移動して原稿１００を走査する。
【００１８】
画像形成部１６０は、像担持体である感光体ドラム１と、この感光体ドラム１の表面を均一に帯電する帯電ローラ８と、トナー像を転写後に感光体ドラム１に残留したトナーを除去するクリーナ９などからなるドラムカートリッジ５０と、感光体ドラム１にトナー像を形成するロータリ現像ユニット１５１と、感光体ドラム１の表面に現像されたトナー像が転写される中間転写ベルトユニット６０などを備えて構成されている。
【００１９】
感光体ドラム１は、帯電ローラ８によって帯電された感光体ドラム１の表面にレーザユニット１０９から光像を照射し、その光像によって形成された静電潜像を現像して中間転写ベルト３に転写するようになっている。中間転写ベルト３上のトナー像は、二次転写部において中間転写ベルト３を挟んで対向する一対の二次転写ローラ４，５によって、被転写材であるシート材Ｓに一括して転写される。シート材Ｓは給送カセット１２７から供給される。
【００２０】
ここで、図２以下に示すように、シート搬送路においては、上記二次転写ローラ４，５よりも上流側に対向する一対のレジストローラ７，８が配置されている。このレジストローラ７，８は本発明でいう第１のシート搬送部材であり、下流側の二次転写ローラ４，５は第２のシート搬送部材を構成する。本発明の実施形態では、それら第１および第２のシート搬送部材のローラ軸間距離を案内パス長さとした場合、第１および第２のシート搬送部材間の区間にてシート材Ｓを前奥差が生じない姿勢に調整して搬送し、第２のシート搬送部材である二次転写ローラ４，５に送り込むことが要旨となっている。
【００２１】
図１において、シート搬送方向でいう画像形成部１６０の下流側には、シート材Ｓ上のトナー像を永久画像として定着する定着器１２２と、この定着器１２２においてトナー像が定着されたシート材Ｓを画像形成装置本体１０１から排出する排出ローラ対１２４とが順に配設されている。画像形成装置本体１０１の外側には、排出ローラ対１２４によって排出されたシート材Ｓを受け取るトレイ形状の排出部１２５が設けられている。
【００２２】
（シート搬送装置）
図２は、本実施形態の二次転写部を含むシート搬送系において、シート材Ｓの搬送をガイドする案内パス（通路）構成を示す断面図である。要部となる二次転写送りガイド１，２（ガイド部材）のうち、一方の二次転写送りガイド１は、搬送路フレーム１２の一部に一体成形された部分の支持プレート１２ａと、この支持プレート１２ａに対してスライドして移動可能なシート矯正プレート（可動部）２０とからなっている。シート矯正プレート２０はこの一部を屈曲成形した矯正部２１を有し、この矯正部２１が他方の二次転写送りガイド２との間に案内パスとなるシート通路を形成し、通路曲がり角部は当接部（当接点）Ａとなっている。
【００２３】
図４は、図２に対応してシート矯正プレート２０を平面から見た図である。すなわち、シート矯正プレート２０のプレート両端部にはそれぞれ長溝形状のスライド孔２２が設けられ、支持プレート１２ａ側と一緒に共挿通させたスライドピン２３を介して、支持プレート１２ａに対しスライドして移動可能になっている。シート矯正プレート２０のそうしたスライド移動で矯正部２１が案内パスから進退動作することにより、二次転写ローラ対４，５（第１のシート搬送部材）に向かって搬送中のシート材Ｓを案内して姿勢を矯正し、前奥差の修正調整を行う。図２において、搬送路フレーム１２に一体の支持プレート１２ａに前奥差が生じていて当該プレート両端が角度βだけ傾いているような場合でも、そうした支持プレート１２ａに対して矯正部２１の左右両端２１ａ，２１ｂの出入りである前奥差を無くす方向へ調整される。すなわち、図２中の矢印Ｖで示す搬送方向に対して直交する線ｍｎに矯正部２１の前面を面一に揃えることで、搬送中のシート材Ｓの先端の前奥差が無くなるように矯正する調整機構である。
【００２４】
図３は、そのように二次転写送りガイド１の両端部２１ａ，２１ｂを前奥差の無いように移動させて微調整する際の作用を模式的に示している。
【００２５】
すなわち、二次転写送りガイド１を構成する上記シート矯正プレート２０において、その矯正部２１に設けられた当接部Ａと、二次転写ローラ対４，５のニップ部をＢ、レジストローラ対７，８（第２のシート搬送部材）のニップ部をＣという符号で示すと、Ｂ点とＣ点を焦点とする楕円形Ｐの軌跡上にＡ点は存在する。つまり、Ｂ，Ｃの２つの焦点間の距離を加算したＡＢ+ＡＣは、レジストローラ７，８と二次転写ローラ４，５との間の搬送区間にてシート材Ｓをガイドする距離である案内パス長さＬに相当する。
【００２６】
当接部Ａを通る楕円Ｐの接線方向（矢印Ｙの方向）にシート矯正プレート２０をつまり矯正部２１を移動調整した場合でも、案内パス長さＬ（＝ＡＢ+ＡＣ）はほぼ楕円軌道上を移動する。そのため、案内パス長さＬが変化しないのに対して当接部Ａを通る楕円Ｐの接線の略垂直方向（矢印Ｘ方向）へ矯正部２１を移動させれば、案内パス長さＬの変化の感度が最も高くなる。
【００２７】
その結果、当接部Ａを通る楕円Ｐの接線の略垂直方向（矢印Ｘ方向）へ二次転写送りガイド１の全体を移動調整すれば、案内パス長さＬの前奥差が無くなるように微調整され、シート材Ｓの先端部における画像ずれを防止でき、画像倍率が異常の画像が発生するのを有効に抑えることができる。ちなみに、当接部Ａにおける屈曲角∠ＢＡＣをθ、二次転写部への入射角∠ＡＢＣをφとした場合、例えばθ＝１４０°が好適である。
【００２８】
また、搬送路フレーム１２の突き当て部（図示略）が最大交差内で当接しているような場合、あるいは搬送路フレーム１２を位置決めする部分の寸法公差が最大にブレているような場合でも、図４に示すように、二次転写送りガイド１を微調整すれば案内パス長さＬに前奥差が生じなくなる。よって、案内パス長さＬの前奥差が調整されて、シート材Ｓの先端部における画像の前奥ずれや異常な画像倍率による画像の発生を防止できる。
【００２９】
ここで、図５に示すように、二次転写送りガイド１の当接部Ａにおける曲がり角度θと、案内パス長さＬと、そして二次転写部への入射角φとの関係については三角関数モデルから求めることができる。
【００３０】
いま、モデル簡略化するため、相似形△ＡＢＭ≡△ＡＣＭとなるような点Ｍを想定して、当接部ＡをＡ’に調整した時の調整量をγとすると、ガイド調整による案内パス変化量ΔＬ、ならびにガイド調整による二次転写部への入射角Δφは、
ΔＬ＝Ｌ’−Ｌ＝{ｄ−ｓｉｎ（θ／２）}−{ｄ−ｓｉｎ（θ’／２）}  ・・（１）
Δφ＝φ’−φ＝（θ／２）−（θ’／２）                      ・・（２）
となる。
【００３１】
図６は、例えばローラ軸間距離ｄ＝５０ｍｍ、ガイド調整量γ＝１ｍｍとしたときの屈曲角θと案内パス変化量ΔＬと、そして二次転写部入射角変化量Δφとの相関を示すグラフである。このグラフから明らかなように、屈曲角θが小さくなるにともない、ガイド調整効率が好転することがわかる。つまり、少ないガイド調整量γでもって案内パス長さＬを大きく変化をさせることが可能となる。
【００３２】
つぎに、屈曲角θ≦１６０°の場合について示せば、屈曲角θが約１６０°から小さくなると図６のグラフより屈曲角θの変化に対するΔφの傾きが急角度となるため、転写ローラ近傍の角度変動を小さくできるガイド構成になることが分かる。よって、ガイド調整した時でも、シート材Ｓの転写ローラ近傍の角度変動を小さくすることができ、二次転写ローラ対４，５のニップ部直前の空中放電等の画像不良を防げ、転写異常による画像異常を防止することができる。
【００３３】
また、屈曲角θ≦１２０°の場合について示せば、屈曲角θが約１２０°から小さくなると図６のグラフより、ガイド調整量≦紙パス調整量となることが分かり、ガイド調整効率が非常に好転する。
【００３４】
本実施形態においては、当接部Ａを通る楕円Ｐの接線の略垂直方向（矢印Ｘ方向）に第１の二次転写送りガイド１をスライド移動させたが、転写ローラ近傍の角度変動を小さくできることを優先して、当接部Ａの調整方向を二次転写ローラ４，５のニップ部Ｂと該当接部Ａを結んだ直線ＡＢと略並行にしても良い。これにより、ガイド調整効率を多少犠牲にしても、転写ローラ近傍の角度変動を抑えたガイド調整機構を設けることができる。
【００３５】
また、本実施形態では、二次転写送りガイド１を当接部Ａを通る楕円Ｐの接線の略垂直方向へスライド移動が可能に調整することで、案内パス長さＬの前奥差を効率良く調整でき、シート材Ｓの先端部の画像の前奥ズレとか、画像倍率の異常などによる異常画像の発生を防止できる。また同時に、シート材Ｓの転写ローラ近傍の角度変動を小さくすることができ、二次転写ローラ対４，５のニップ部直前の空中放電等の画像不良を防げ、転写異常による画像異常を防止することができるという効果を奏する。
【００３６】
（第２の実施形態）
つぎに、図７に示すように、第２の実施形態においては、二次転写送りガイド１の当接部Ａと、二次転写ローラ４，５のニップ部Ｂと、レジストローラ７，８のニップ部Ｃの３点間の距離が常に一定になるよう規制するパス長さ調整ワイヤ（パス長さ規制部材）が設けられたことが要点となっている。
【００３７】
すなわち、図５を参照すれば、二次転写ローラ４，５のニップ部Ｂを結んだ直線距離ＡＢと、当接部Ａとレジストローラ７，８のニップ部Ｃを結んだ直線距離ＡＣとを加算したＡＢ＋ＡＣ値（図５参照）が常に一定に維持されるよう、パス長さ調整ワイヤ１４でもって規制する。パス長さ調整ワイヤ１４はこの両端が、二次転写ローラ５の回転軸とレジストローラ８の回転軸上に繋ぎ止められ、ワイヤ途中ではスリップして変位可能に二次転写送りガイド１のシート材通行に干渉しない前奥部に引っ掛けられている。そうしたパス長さ調整ワイヤ１４は弛緩することなく２個の張力ばね１５でもって十分なテンションを付与して張架されている。それにより、パス長さ調整ワイヤ１４は案内パス長さＬを一定に維持する。
【００３８】
また、二次転写送りガイド１は段ビス１６によって点Ｂ、Ｃを焦点とした当接部Ａを通る楕円Ｐの接線の略垂直方向（矢印Ｘ方向）へのみ移動できるよう規制されている。これによって、レジストローラ７，８と二次転写ローラ４，５との間の軸間距離つまりニップ間距離である案内パス長さＬは自動的に一定に維持され、シート材Ｓの先端部の画像の前奥ズレ、画像倍率の異常などによる異常画像の発生を防止することができる。
【００３９】
なお、本発明は上記第１および第２の実施形態に限定されるものではなく、本発明の主旨を逸脱しない範囲内であれば、他の実施形態やそれらの組み合わせならびに変形例や応用例も可能である。
【００４０】
例えば、第１および第２の実施形態においては、二次転写送りガイド１をスライドさせて移動させる微調整を手動または自動で行うようにしたものが示された。それに対して、別の実施形態として、図１０（ｂ）で示された二次転写ローラ４，５の回転速度Ｖ１がレジストローラ７，８の回転速度Ｖ２よりも遅くて小さいＶ１＜Ｖ２であるような場合、シート材Ｓが二次転写送りガイド２に押し付けられるようなシート搬送系にあっては、二次転写送りガイド２をスライド移動可能な調整式として、上記各実施形態で得られたものと同様な効果を奏する。
【００４１】
また、第１および第２の実施形態の場合、本発明でいう２つの搬送手段の具体例をレジストローラ７，８と二次転写ローラ４，５に想定して説明したが、その組み合わせがレジストローラ７，８と定着ローラ（図示略）の場合においても本発明では有効である。
【図面の簡単な説明】
【００４２】
【図１】本発明による画像形成装置の一実施形態を示す断面図。
【図２】第１の実施形態における要部として二次転写部搬送系のシート案内パス構成を示す断面図。
【図３】同第１の実施形態において前奥差微調整を模式的に示す断面図。
【図４】同第１の実施形態において図２を上からみた平面図。
【図５】同第１の実施形態における案内パスの３つの点の相関を示す三角関数モデルの模式図。
【図６】同第１の実施形態においてローラ間距離ｄ＝５０のときの屈曲角と転写入射角変化量とガイド調整量との相関を示す性能グラフ。
【図７】本発明による第２の実施形態のシート案内パス構成を示す断面図。
【図８】従来のシート案内パス構成を示す断面図。
【図９】同図（ａ），（ｂ）はいずれも従来のシート案内パスにおける一側の二次転写送りガイドのシート材搬送態様を示す断面図。
【図１０】同図（ａ），（ｂ）はいずれも従来のシート案内パスにおける他側の二次転写送りガイドのシート材搬送態様を示す断面図。
【図１１】従来のシート案内パスにおける前奥差が生じている態様を示す平面図。
【符号の説明】
【００４３】
１，２      二次転写送りガイド（ガイド部材）
３          中間転写ベルト
４，５      二次転写ローラ
７，８      レジストローラ
１２，１３  搬送路フレーム
１２ａ      支持プレート
２０        シート矯正プレート（可動部）
２１        矯正部
２２        スライド長孔
２３        スライドガイドピン
【図１】
2006323154.tif 000003
【図２】
2006323154.tif 000004
【図３】
2006323154.tif 000005
【図４】
2006323154.tif 000006
【図５】
2006323154.tif 000007
【図６】
2006323154.tif 000008
【図７】
2006323154.tif 000009
【図８】
2006323154.tif 000010
【図９】
2006323154.tif 000011
【図１０】
2006323154.tif 000012
【図１１】
2006323154.tif 000013